(57)【要約】【課題】天板の大きさよりも大きな被収納物であっても、好適に天板上に載置して収納することができる使い勝手のよい棚を提供する。【解決手段】天板と、その上端部が前記天板の上面よりも上方へ突出するように前記天板の周囲に立設される複数の支持柱と、隣り合う支持柱各々の上端部間に亘るように設けられる仕切板とを備える棚において、前記仕切板は、前記上端部に対して着脱可能となっていることを特徴とする。【選択図】図１
0003136491.tif 000002
【実用新案登録請求の範囲】
【請求項１】
天板と、その上端部が前記天板の上面よりも上方へ突出するように前記天板の周囲に立設される複数の支持柱と、隣り合う支持柱各々の上端部間に亘るように設けられる仕切板とを備える棚において、前記仕切板は、前記上端部に対して着脱可能となっていることを特徴とする棚。
【請求項２】
前記支持柱の上端部には、前記仕切板を当該上端部に着脱可能とするための着脱部が設けられており、該着脱部は、前記上端部の外周面から径方向外方へ突出し且つ前記支持柱の軸線方向に沿って形成され、しかも、仕切板を前記軸線方向に挿抜可能とするための隙間を形成するように支持柱の周方向に離間して一対設けられるレール壁部を備えてなることを特徴とする請求項１に記載の棚。
【請求項３】
前記天板の面方向に複数並べて互いに連結することができるように構成されていることを特徴とする請求項１又は２に記載の棚。
【考案の詳細な説明】
【技術分野】
【０００１】
本考案は、棚に関し、特に天板の上に被収納物を載置して収納することができる棚に関する。
【背景技術】
【０００２】
従来、この種棚としては、天板と、その上端部が前記天板の上面よりも上方へ突出するように前記天板の周囲に立設される複数の支持柱と、隣り合う支持柱各々の上端部間に亘るように該上端部に固定される仕切板とを備えたものが知られている。かかる棚は、天板の上にも被収納物を載置して収納することができるものである。
【考案の開示】
【考案が解決しようとする課題】
【０００３】
しかしながら、上記従来の棚は、その天板の上に載置することができる被収納物の大きさが天板の大きさと同等又は小さいものに限られており、例えば天板の長さ又は幅よりも大きな寸法を有するものなどの天板の大きさより大きな被収納物を天板に載置して収納することができず、使い勝手が悪いという問題があった。
【０００４】
そこで、本考案は上記実情に鑑みてなされ、天板の大きさよりも大きな被収納物であっても、天板上に載置して好適に収納することができる使い勝手のよい棚を提供することを課題とする。
【課題を解決するための手段】
【０００５】
本考案は、上記課題を解決すべくなされたものであり、天板と、その上端部が前記天板の上面よりも上方へ突出するように前記天板の周囲に立設される複数の支持柱と、隣り合う支持柱各々の上端部間に亘るように設けられる仕切板とを備える棚において、前記仕切板は、前記上端部に対して着脱可能となっていることを特徴とする。
【０００６】
該構成の棚にあっては、前記仕切板が前記上端部に対して着脱可能となっているので、仕切版を上端部から取り外したり、或いは、棚をその天板の面方向に複数併設して各棚の間に位置する仕切板を取り外したりすることによって、天板の大きさよりも大きなものを天板の上に載置することができる。
【０００７】
特に、前記支持柱の上端部には、前記仕切板を当該上端部に着脱可能とするための着脱部が設けられており、該着脱部は、前記上端部の外周面から径方向外方へ突出し且つ前記支持柱の軸線方向に沿って形成され、しかも、仕切板を前記軸線方向に挿抜可能とするための隙間を形成するように支持柱の周方向に離間して一対設けられるレール壁部を備えてなることが好ましく、仕切板の着脱作業が容易になるという利点がある。
【０００８】
また、前記天板の面方向に複数並べて互いに連結することができるように構成されていることが好ましく、連結した複数の棚を一つの大きな棚としてまとめて移動等させることができて取り扱い易くなるという利点がある。
【考案の効果】
【０００９】
このように、本考案に係る棚にあっては、仕切板が支持柱の上端部に対して着脱可能となっているので、天板の大きさよりも大きなものであっても天板の上に載置して好適に収納することができる結果、使い勝手がよいという効果を奏する。
【考案を実施するための最良の形態】
【００１０】
以下、本考案に係る棚の一実施形態について図面を参酌しつつ説明する。
図１に、本実施形態における棚１が示されている。該棚１は、天板２と、該天板２の下方に天板２と平行に設けられる棚板３と、その上端部４１が前記天板２の上面２１よりも上方へ突出するように前記天板２及び前記棚板３の周囲に立設される複数の支持柱４と、隣り合う支持柱４各々の上端部４１間に亘るように設けられる仕切板５とを備える。この棚１は、例えば、天板２及び／又は棚板３の上に被収納物Ｘを載置して押入れ等に収納することができる所謂押入れ収納ラックである。
【００１１】
天板２は、略長方形状の薄板であり、その上面２１は平坦な面となっている。棚板３は、天板２とほぼ同形状の薄板であり、その上面３１は平坦な面となっている。天板２と棚板３とは、それぞれの上面２１，３１が略水平となるように配置されており、天板２の真下に所定距離離間して棚板３が配置されている。尚、本実施形態では、棚板３は、１つだけ設けられているが、複数設けられてもよい。
【００１２】
支持柱４は、円柱状又は円筒状であり、一端部には前記仕切板５を支持柱４に着脱可能とするための着脱部６が設けられており、他端部には棚１を移動自在とするためのキャスター４３が設けられている。
【００１３】
この支持柱４は、一端部が前記上端部４１となり他端部が下端部４２となるようにその軸線方向（長さ方向）を上下にして立設されており、天板２と棚板３とを取り囲むように両板の周囲に複数設けられている。尚、本実施形態では、支持柱４は天板２と棚板３とのそれぞれの角部に対応する位置に４つ設けられている。また、支持柱４は、前記着脱部６が天板２よりも上方側に位置するように、その上端部４１が天板２の上面２１から上方に突出している。
【００１４】
着脱部６は、図１及び図２に示すように、支持柱４の上端部４１の外周面から径方向外方へ突出し且つ前記支持柱４の軸線方向に沿って形成されるレール壁部６１を備える。該レール壁部６１は、仕切板５を前記軸線方向に挿抜可能とするための隙間６２を形成するように支持柱４の周方向に離間して一対設けられている。
【００１５】
具体的には、着脱部６は、支持柱４の上端部４１全域に亘って延設される一対のレール壁部６１を備えてなり、両レール壁部６１は、その間に所定の隙間６２を形成するように両レール壁部６１の基端部同士をレール連結部６３にて一体的に連結されている。
【００１６】
かかる着脱部６は、レール壁部６１の先端部が支持柱４の径方向外側になると共に基端部が径方向内側になり、且つ、その長さ方向が支持柱４の軸線方向に沿うようにして、前記レール連結部６３が支持柱４の外周面に例えば溶接等により取り付けられて構成されている。従って、レール壁部６１は、支持柱４の径方向外側へ向けて突出する格好となり、一対のレール壁部６１間の隙間６２は、支持柱４の軸線方向に沿って形成されることとなる。
【００１７】
また、各支持柱４間には、図１に示すように、天板２又は棚板３を受けるための板受部４４と、棚１の剛性を確保するための補強部４５とが設けられている。
【００１８】
板受部４４は、天板２又は棚板３の長手方向（棚１の奥行き方向）に沿って隣り合う支持柱４間に掛け渡され、天板２の短手方向両側に対応するように一対設けられる板受体４４１を備えてなる。この板受部４４は、天板２と棚板３とのぞれぞれの配置位置に合わせて設けられており、天板２を受けるための板受部４４と、棚板３を受けるための板受部４４とが設けられている。本実施形態では、天板２と棚板３とは板受部４４上に載置して設置されるものであり、従って取外し可能となっている。
【００１９】
補強部４５は、各支持柱４の間に掛け渡される横桟であり、各支持柱４を所定の位置関係にて連結固定するとともにこれらで形成される枠形状を保形するものである。従って、補強部４５は、棚１に必要な剛性を考慮して適宜設けられ、本実施形態では、棚１の一側面を除いた全ての側面に設けられている。尚、前記一側面は被収納物Ｘの出し入れを行う開口として利用することができる。また、補強部４５は、支持柱４に固定することも着脱可能とすることも可能である。
【００２０】
尚、本実施形態における棚１には、棚１を移動させる際に把持するための把手部４６が設けられている。この把手部４６は、天板２の短手方向（棚１の幅方向）に沿って隣り合う支持柱４間に掛け渡されており、天板２よりも若干上方側に設けられている。尚、把手部４６は前後に一対設けられている。
【００２１】
仕切板５は、隣り合う支持柱４間に亘るように形成される薄板状であり、本実施形態では、格子状の網体である。この仕切部は、その側端部が前記一対のレール壁部６１間に形成される隙間６２に挿入されることによって、天板２上方の空間を上下に仕切ることができるものであり、逆に、前記隙間６２から抜き取ることによって前記仕切りを開放することができる。つまり、仕切板５は、上下方向に抜き差しすることで着脱可能となっている。尚、本実施形態では、仕切板５は、各支持柱４の間にそれぞれ設けられている。
【００２２】
以上のような構成の棚１にあっては、前記仕切板５が支持柱４の上端部４１に対して着脱可能となっているので、仕切版を上端部４１の着脱部６から抜き取ることによって、天板２の大きさよりも大きな被収納物Ｘを天板２の上に載置することができる。
【００２３】
或いは、図３に示すように、棚１をその天板２の面方向（例えば、幅方向）に複数並べて各天板２の間を仕切る仕切板５を着脱部６から抜き取ると、各天板２が仕切りなく面一に並ぶので、天板２の大きさよりも大きな被収納物Ｘを各天板２に跨るようにして載置することができる。
【００２４】
このように、本実施形態にかかる棚１は、天板２の大きさよりも大きな被収納物Ｘを天板２上に載置して好適に収納することができるので使い勝手がよい。
【００２５】
また、支持柱４の上端部４１には、仕切板５を当該上端部４１に着脱可能とするための着脱部６が設けられており、該着脱部６は、前記上端部４１の外周面から径方向外方へ突出し且つ前記支持柱４の軸線方向に沿って形成され、しかも、仕切板５を前記軸線方向に挿抜可能とするための隙間６２を形成するように支持柱４の周方向に離間して一対設けられるレール壁部６１を備えてなるので、仕切板５を前記隙間６２から抜き差しするだけで仕切板５の着脱を行うことができるので作業が容易になる。
【００２６】
尚、図３にしますような複数の棚１を並べて使用する場合には、並べた棚１を連結することができるように棚１を構成することが好ましく、例えば、隣り合う棚１の隣接する支持柱４双方を保持することができる連結手段を用いて連結する構成とすれば、連結した棚１を一つの大きな棚１としてまとめて移動等させることができ取り扱い易くなる。
【００２７】
尚、かかる連結手段としては、例えば図４に示すように、隣り合う棚１の隣接する支持柱４をそれぞれ嵌め込むことができる凹部７１を有する前後一対の連結具７を備えるものを例示することができ、両連結具７にて前記隣接する支持柱４双方をその径方向に狭持することで隣り合う棚１を連結することができる。
【００２８】
尚、本実施形態では、天板２が略長方形状である場合について説明したが、これに限らず、例えば、三角形状や六角形状等の多角形状であってもよいし、或いは、円形状や楕円形状であってもよい。
【００２９】
また、本実施形態では、支持柱４が４つ設けられている場合について説明したが、これに限らず、例えば、３つ或いは５つ設けられる場合であってもよい。
【００３０】
更に、本実施形態では、天板２が着脱自在に構成される場合について説明したが、これに限らず、天板２と支持柱４とが固定されている場合であってもよい。
【００３１】
また更に、本実施形態では、着脱部６が一対のレール壁部６１にて構成される場合について説明したが、これに限らず、例えば、仕切板５が挿抜可能な溝を支持柱４の長手方向に沿って設けた場合であってもよい。また、仕切板５に着脱部６を設けることも可能である。更には、支持柱４や仕切板５とは別体にて着脱部６を設けることも可能である。
【図面の簡単な説明】
【００３２】
【図１】本考案の一実施形態に係る棚を示す斜視図。
【図２】図１のＡ−Ａ線での断面を拡大した図。
【図３】同棚を併設して用いる様子をします斜視図。
【図４】隣り合う棚同士を連結するための連結手段を示す斜視図。
【符号の説明】
【００３３】
１…棚、２…天板、３…棚板、４…支持柱、５…仕切板、６…着脱部、７…連結具、２１…天板の上面、３１…棚板の上面、４１…上端部、４２…下端部、４３…キャスター、４４…板受部、４５…補強部、４６…把手部、６１…レール壁部、６２…隙間、６３…レール連結部、７１…凹部、４４１…板受体、Ｘ…被収納物
【図１】
0003136491.tif 000003
【図２】
0003136491.tif 000004
【図３】
0003136491.tif 000005
【図４】
0003136491.tif 000006